(57)【要約】  折り畳み機で使用することができる折り畳みベルトに関する。折り畳みベルトの改良されたプロフィルによって折り畳みの品質が改善される。折り畳みベルトは、裏側にそのつどの側方フラップのための載置面を形成し、折り畳みベルトの長手方向に関して、縦断面図で見て鋸刃形であるとともに少なくとも１つの頂点を有し、かつ最低点を含み、横断面図で見て少なくとも１つの湾曲区域を有するプロフィルを備え、載置面が先行する最低点と後続する頂点との間に位置する。
2018531202.tif 000002
【特許請求の範囲】
【請求項１】
初期状態では平坦に位置する折り畳み箱ブランク（２）を折り畳む装置（１）で利用するための折り畳みベルトであって、前記折り畳みベルト（１３、１４）は前側（３８）と裏側を有し、前記折り畳みベルト（１３、１４）はその裏側にそのつどの側方フラップ（２８、２９）のための載置面（３９）を形成するプロフィル（１９）を備え、このプロフィルは、前記折り畳みベルト（１３、１４）の長手方向に関して、縦断面図で見て鋸刃形であるとともに少なくとも１つの頂点（４２）を有し、かつ最低点（４３）を含み、前記載置面（３９）は先行する最低点（４３）と後続する頂点（４２）との間に位置する折り畳みベルトにおいて、前記プロフィル（１９）は横断面図で見て少なくとも１つの湾曲区域（５１）を有することを特徴とする折り畳みベルト。
【請求項２】
前記湾曲区域（５１）の開始部及び終了部における接線（５３、５５）は９０°、７５°、６０°、又はこれよりも小さい角度、かつ少なくとも３０°の角度をなすことを特徴とする、請求項１に記載の折り畳みベルト。
【請求項３】
前記湾曲区域（５１）の開始部における接線（５３）は前記折り畳みベルト（１３、１４）の歯付きベルト（４０）と平行に延びることを特徴とする、請求項１又は請求項２に記載の折り畳みベルト。
【請求項４】
前記湾曲区域（５１）の開始部における接線（５３）は前記歯付きベルト（４０）とともに５°〜４５°の角度をなすことを特徴とする、請求項１又は請求項２に記載の折り畳みベルト。
【請求項５】
前記湾曲区域（５１）は円セグメント、楕円セグメント、又はその他の２次多項式の形状を有することを特徴とする、請求項１〜請求項４のいずれか１項に記載の折り畳みベルト。
【請求項６】
前記湾曲区域（５１）は、少なくとも３本の直線、ただし好ましくは５本を超える直線を有する多角形によって近似されることを特徴とする、請求項１〜請求項５のいずれか１項に記載の折り畳みベルト。
【請求項７】
前記プロフィル（１９）は、縦断面図で見て、頂点（４２）とこれに後続する最低点（４３）との間で斜めに延びる裏面（４１）を形成することを特徴とする、請求項１〜請求項６のいずれか１項に記載の折り畳みベルト。
【請求項８】
前記折り畳みベルト（１３、１４）は、縦断面図で見て、複数の頂点（４２）及びこれに対応する最低点（４３）を有し、１つの最低点（４３）をもって始まり、１つの頂点（４２）を含み、これと隣接する最低点（４３）で終わっている前記プロフィル（１９）の各々の区域が鋸刃を形成することを特徴とする、請求項１〜請求項７のいずれか１項に記載の折り畳みベルト。
【請求項９】
隣接する２つの最低点（４３）の間の間隔は、折り畳み線（３１）と平行の方向で測ったときに前記折り畳み箱ブランク（２）の寸法よりも大きく、これに等しく、又はこれよりも小さいことを特徴とする、請求項１〜請求項８のいずれか１項に記載の折り畳みベルト。
【請求項１０】
各々の鋸刃の頂点（４２）は、前記折り畳みベルト（１３、１４）の運動方向に関して、運動方向で前記頂点（４２）に後続する最低点（４３）との間隔に等しい、又はこれよりも大きい間隔を先行する最低点（４３）から有することを特徴とする、請求項１〜請求項９のいずれか１項に記載の折り畳みベルト。
【請求項１１】
前記折り畳みベルト（１３、１４）の裏側に可撓の材料からなる前記プロフィル（１９）があることを特徴とする、請求項１〜請求項１０のいずれか１項に記載の折り畳みベルト。
【請求項１２】
前記プロフィル（１９）は前記裏側に対して縦に置いた可撓の材料からなる少なくとも１つの帯材によって担持され、折り畳みベルト（１３、１４）から離れる側を向くこの帯材の自由な短辺が前記載置面（３９）を形成することを特徴とする、請求項１１に記載の折り畳みベルト。
【請求項１３】
前記帯材は前記折り畳みベルト（１３、１４）の長手方向で波形又はメアンダ形に配置されていることを特徴とする、請求項１２に記載の折り畳みベルト。
【請求項１４】
前記折り畳みベルト（１３、１４）は横断面図で見て対称であることを特徴とする、請求項１〜請求項１３のいずれか１項に記載の折り畳みベルト。
【請求項１５】
前記平坦なベルトは歯付きベルト（４０）であることを特徴とする、請求項１〜請求項１４のいずれか１項に記載の折り畳みベルト。
【発明の詳細な説明】
【技術分野】
【０００１】
本発明は、ドイツ特許出願公開第３９０８９８１号明細書から公知となっているような折り畳みベルトを前提とする。
【背景技術】
【０００２】
ドイツ特許出願公開第４４１２８５７号明細書より、折り畳みベルトを有する折り畳み機が公知であり、その折り畳みベルトは三角形の断面又は尾根状の横断面を有している。この「尾根」は、折り畳みベルトの外側にある。そこでのみ、折り畳みベルトと折り畳み箱ブランクとの間の接触が行われる。
【０００３】
米国特許第４６１４５１２号明細書より、折り畳みベルトを有する折り畳み機が公知であり、その折り畳みベルトは台形の横断面を有している。この折り畳みベルトは、交差するように配置されたローラを介して走行し、それにより折り畳みベルトは１本の螺旋に沿って動く。折り畳みベルトと折り畳み箱ブランクとの間の接触は、折り畳みベルトの幅全体にわたって行われる。
【０００４】
折り畳み箱ブランクは、完成した折り畳み箱の展開図をなす、段ボール紙からなる平坦に位置するブランクである。このような折り畳み箱ブランクは、これを包装のときにカートンとして組み立てることができるようにするために、１本の線に沿って相互に結合された縁部を有するホース状折り畳み箱をなすように成形されなければならない。この目的のために折り畳み箱ブランクが、組み立てられた箱又はカートンで底と蓋との間に延びる２つのエッジを形成する、事前に溝付けされた折り畳み線に沿って曲げられる。内方に向かって折り畳まれるべき部分は側方フラップと呼ばれ、一方では後のカートンの幅狭の平坦面であり、他方では幅広の平坦面である。これらの側方フラップに、底又は蓋の部分を形成し、後の側壁を介してのみ中間部材と結合される大きなラグが懸架される。
【０００５】
ホース状折り畳み箱を構成するためにこのような側方フラップを内方に向かって折り畳むために、螺旋状の推移を有する、いわゆる折り畳みベルトが利用される。このようにして、当初は平坦に位置している側方フラップが前進運動と同期して下方から捕捉され、機械を通る前進運動の程度に応じて折り返される。折り畳みベルトの配置と形状は、側方フラップを折り畳む、側方フラップに当接する折り畳みベルトの面が、まっすぐな螺旋を描くように選択されている。この螺旋は、折り畳み箱ブランクの先行するエッジが後続の部分よりも強く内方に向かって折り込まれるように作用する。このことは、特に大型の折り畳み箱の場合、側方フラップが事前に溝付けされた折り畳み線に従って正確に曲げられるのでなく、実際の折り畳み線がブランクの先行するエッジの領域で後方の領域よりも大きく中心に向かって位置することにつながり、それにより、折り込まれたそれぞれの側方フラップが正確に重なり合わなくなる。その帰結はいわゆる「フィッシュテーリング」である。
【０００６】
このようなフィッシュテーリングを回避するために、ドイツ特許出願公開第３９０８９８１号明細書より、一方では、折り畳みのために必要な力を折り畳み箱ブランクへと伝達することができ、それと同時に、折り畳み機の方向転換ロールを介して少ない力コストで走行するために十分に柔軟である折り畳みベルトが公知である。この折り畳みベルトは非常に成果を挙げており、その発明から２５年以上がたった現在でもまだ使用されている。
【０００７】
時代の経過とともに段ボール紙の品質が低下してきている。それと同時に顧客の一部は、印刷された非の打ちどころのない表面を有する、多色印刷されたカートンを期待している。
【発明の概要】
【発明が解決しようとする課題】
【０００８】
以上を前提とした上で本発明の課題は、使用時に折り畳み箱ブランクの側方フラップが、段ボール紙の品質が悪い場合であっても、事前に溝付けされた折り畳み線に沿って非常に正確に折り畳まれ、折り畳み箱ブランクの表面が損傷を受けることがない、さらに改良された折り畳みベルトを提供することにある。
【課題を解決するための手段】
【０００９】
本発明によると、この課題は請求項１の構成要件を有する折り畳みベルトによって解決される。
【００１０】
本発明に基づく折り畳みベルトの断面プロフィルの結果として、ベルトは、表面の損傷が生じることがないように、折り畳みプロセス中に側方フラップの（印刷された）表面の上を通って転動する。それと同時に、折り畳みベルトと側方フラップとの間の線状の接触が行われ、それにより、局所的な過負荷や押圧個所が段ボール紙に生じることがない。折り畳みベルトと側方フラップとの間のこの線状の接触（接触線）は、折り畳みベルトによって折り返される側方フラップの長さ全体にわたって延びている。接触線は、側方フラップがこれに沿って折り返されるところの折り畳みエッジとほぼ平行に延びている。
【００１１】
その結果として、本発明による折り畳みベルトを使用して製作されるカートンは、正確性（「フィッシュテーリング」なし）と表面品質に関わるすべての要求事項を満たす。
【００１２】
本発明による折り畳みベルトのさらに別の利点は、これを既存の機械に後付けすることができるという点に見ることができる。後付けがなされた機械で折り畳まれるカートンの品質を、それによって有意に改善することができる。
【００１３】
本発明による折り畳みベルトは以前から知られている折り畳み機に組み込まれるので、このような機械に関する詳細な説明は省略し、ドイツ特許出願公開第３９０８９８１号明細書を援用して、その内容を引用により本件出願の開示の一部とする。
【００１４】
本発明による折り畳みベルトは交差するように延びることができ、このケースでは折り畳みベルトは２つのロールを介して走行し、これらのロールの軸は期待されるべき折り畳みの角度にほぼ相当する角度を互いになす。この配置のとき、若干大きな力がベルトに対して及ぼされるが、この配置で本発明による折り畳みベルトを使用したときに、折り畳まれるべき側方フラップの表面の負荷が最小になる。
【００１５】
別案として折り畳みベルトは、軸が互いに実質的に平行に向いているロールを介して走行することができ、それにより各ベルトが交差せずに延びている。この配置では、ベルトはねじれの負荷を事実上受けることがなく、その代わりに側方フラップと折り畳みベルトの接触面との間で折り畳み運動中に、ブランクの搬送方向に対して横向きに相対運動が行われ、それによって側方フラップの表面と折り畳みベルトとが摩耗の負荷を受ける。
【００１６】
これら両方の実施形態において、載置面又は載置面の一部は、プロフィルの頂点が、上流側でもっとも遠くに位置する軸の上に位置するときに、この位置で側方フラップの初期姿勢と同一となる面が生じるように構成されている。交差するベルトの場合、それによって生じる平らな面が次の方向転換ロールまで存続する。
【００１７】
側方フラップを１８０°だけ折り畳むために、交差しない配置の場合、いずれのケースでも装置のそれぞれの側で相前後する２つの折り畳みベルトが必要である。折り畳みベルトが交差する場合、１８０°の折り畳みはそれぞれの側の１つの折り畳みベルトで実現することができる。
【００１８】
本発明による湾曲区域を折り畳みベルトのプロフィルに形成するには、さまざまな選択肢がある。
【００１９】
その目的は、折り畳みベルトが折り畳みプロセス中にできる限り側方フラップの長さ全体にわたってこれに当接し、折り畳みベルトと折り畳み箱ブランクとの間の接触線が折り畳み箱ブランクの搬送方向に対して横向きに「移動」しないことにある。このような望ましくない相対運動は側方フラップの印刷された外面で摩耗痕をもたらし、それによってその視覚的な品質を損なう。
【００２０】
湾曲区域の開始部と終了部における接線が９０°、７５°、６０°、又はこれよりも小さい角度をなすと好ましいことが判明している。３０°の最小角度が大半のケースで好ましい。
【００２１】
当然ながらこの角度は、側方フラップが折り畳まれるべき角度に依存して決まる。原則として次のことが言える。側方フラップが強く折り畳まれるべきであるほど、それぞれの接線の間の角度も大きくなる。
【００２２】
湾曲区域の開始部における接線が折り畳みベルトの裏側と平行に延びていると好ましいことが判明している。その場合、本発明に基づくプロフィルが折り畳まれるべき側方フラップにソフトに当接し、衝撃的な負荷なしに折り畳みプロセスが始まる。
【００２３】
湾曲区域の開始部における接線が折り畳みベルトの裏側とともに５°〜４５°の角度をなすことも可能である。
【００２４】
湾曲区域は、円セグメント、楕円セグメント、又はその他の２次多項式の形状を有することができる。適切な形状の選択は個別ケースの事情に依存して決まり、場合により実験で判定される。
【００２５】
本発明によるプロフィルの製作を簡略化するために、湾曲区域を、断面で見て少なくとも３本の直線を有する多角形によって、ただし好ましくは５本を超える直線を有する多角形によって、近似することも可能である。それにより、本発明によるプロフィルの主要な利点がほぼ完全に実現される。
【００２６】
本発明によるプロフィルは、たとえば独立気孔性の発泡材などの可撓の素材から製作されるのが好ましい。
【００２７】
軽量であり、端部側のロールの周りを容易に走行する折り畳みベルトが得られるのは、折り畳みベルトの裏側に、中実プロフィルに代えて、プロフィルに準じて構成された少なくとも１つの帯材が設けられ、ベルト裏側から離れる側を向くこの帯材の短辺が載置面を形成するときである。
【００２８】
端部側の軸の周りでの方向転換のときの曲げ抵抗をいっそう小さくすることができるのは、折り畳みベルトの裏側の帯材が波形又はメアンダ形の推移を有しているときである。その場合、端部側の軸の周りでの方向転換のときに、載置面の領域で引張応力が事実上発生しない。その一方で、特別に安定した載置面を得ることができるのは、折り畳みベルトの裏側に波形又はメアンダ形の２つの帯材が設けられているときであり、これらの帯材は、それぞれ互いのほうを向く凸面状の膨出部をもって折り畳みベルトの中心の上で突き合わされるように配置されるのが好ましい。
【図面の簡単な説明】
【００２９】
図面には本発明の対象物の実施例が示されている。
【００３０】
【図１】ドイツ特許出願公開第３９０８９８１号明細書（従来技術）の図２である。
【図２】ドイツ特許出願公開第３９０８９８１号明細書（従来技術）の図１１である。
【図３】ドイツ特許出願公開第３９０８９８１号明細書（従来技術）の図４である。
【図４】本発明の実施例による折り畳みベルトを示す横断面図であり、（ａ）は図３の線Ａ−Ａに沿った断面図に対応する断面図であり、（ｂ）は図３の線Ｂ−Ｂに沿った断面図に対応する断面図である。
【図５】本発明の別の実施例による折り畳みベルトを示す横断面図であり、（ａ）は図３の線Ａ−Ａに沿った断面図に対応する断面図であり、（ｂ）は図３の線Ｂ−Ｂに沿った断面図に対応する断面図である。
【図６】折り畳みプロセスを３通りの異なる工程（Ｉ、ＩＩ及びＩＩＩ）で示す簡略化した等角図である。
【図７】図６の工程Ｉに属する断面図であり、（ａ）及び（ｂ）はそれぞれ、工程Ｉの線Ａ−Ａ及びＢ−Ｂに沿った工程Ｉに属する断面図である。
【図８】図６の工程ＩＩに属する断面図であり、（ａ）及び（ｂ）はそれぞれ、工程ＩＩの線Ａ−Ａ及びＢ−Ｂに沿った工程ＩＩに属する断面図である。
【図９】図６の工程ＩＩＩに属する断面図であり、（ａ）及び（ｂ）はそれぞれ、工程ＩＩＩの線Ａ−Ａ及びＢ−Ｂに沿った工程ＩＩＩに属する断面図である。
【図１０】（ａ）は２つの折り畳み箱ブランクの折り畳みを含む折り畳みプロセスを各々の工程で示す簡略化した等角図であり、（ｂ）は（ａ）の折り畳みベルトに用いられる鋸刃プロフィルである。
【発明を実施するための形態】
【００３１】
同じ符号は同じコンポーネントについて一貫して使用される。
【００３２】
ドイツ特許出願公開第３９０８９８１号明細書からすでに公知であるように、折り畳み機はそれぞれ２つのエンドレスの折り畳みベルト１３を有し、これらの折り畳みベルトは、その全般的な伸長状態に関して案内軌道５の側方の下方で始まり、案内軌道５の上方で終わる。図１では一方だけが示されている両方の折り畳みベルト１３は、折り畳み機の長軸に対して鏡像対称に配置されている。
【００３３】
折り畳み箱ブランク２の運動方向で見て折り畳み機の左側にある折り畳みベルト１３は、本体フレームの軸１７及び１８に回転可能に支承された２つのベルト車１５、１６の周りを走行する。ベルト車１５又は１６のうち一方は、折り畳み箱ブランクの送りを担当する歯付きベルト（図示せず）と同期して折り畳みベルト１３を動かすために、駆動装置と連結されている。軸１７及び１８は互いに平行に、かつ案内軌道５によって定義される平面に対して４５°の角度で延びている。軸１７及び１８のアライメントは、これらが折り畳み機１の対称平面に向かう方向で下方に向くようになっている。
【００３４】
折り畳み箱ブランク２の搬送方向で折り畳みベルト１３の後方に、さらに別の複数組の本発明による折り畳みベルト（図示せず）が配置されていてよい。これらの折り畳みベルトは実質的に折り畳みベルト１３の延長の方向に延びて、折り畳み運動を続行する。折り畳みベルトのこのようなプロセス及び配置は、ドイツ特許出願公開第３９０８９８１号明細書に詳細に記載されている。
【００３５】
合計で４つ又はそれ以上の折り畳みベルトの配置に基づき、各々の折り畳みベルト１３に作業車間部が生じており、この作業車間部は折り畳み箱ブランク２の搬送運動の方向に延びるとともに折り畳み箱ブランク２と協同作用し、それに対して、アイドル車間部は折り畳み箱ブランク２と接触することなく反対方向に戻るように延びる。搬送運動及び作業車間部の方向は、図３、図６及び図１０に矢印４８によって示されている。
【００３６】
図２には、後続する折り畳みベルト１４が交差する構成が例示として示されている。後続する折り畳みベルト１４（ドイツ特許出願公開第３９０８９８１号明細書の図１１による）では同一のプロフィルが利用されるが、軸２１、２２だけは別様の向きとなっている。軸２１は案内軌道５と並んで垂直方向に配置されるのに対し、さらに下流側に位置する方向転換ロール２２’の軸２２は案内軌道５の上に位置する。付属の方向転換ロール２２’は、折り畳み線３１に関して、折り畳み機１の中心に向かって変位しており、それは、左側の折り畳みベルト１４において折り畳み線３１の右側で押圧力を導入できるようにするためである。案内軌道５に対する軸２２の高さは、方向転換ロール２２’の半径に、歯付きベルトの前面３８に対する頂点４２の高さを加えたものに相当する。
【００３７】
このような配置では、第１の折り畳みベルト１３が側方フラップ２８を垂直方向に起立させる。本発明による折り畳みベルトの載置面と側方フラップ２８との間の接触点が、上昇していく螺旋に沿って上方に向かって動いていくからである。それと同時に載置面は、本発明による折り畳みベルトの載置面と側方フラップ２８との間のさほどの相対運動なしに、側方フラップ２８の上で転動する。このことは（印刷されている）側方フラップ２８を保全し、側方フラップ２８の上の摩耗痕を防止する。
【００３８】
第２の折り畳みベルト１４が（図２から良く見て取れるように）、引き続いて側方フラップ２８を中間部材２７のほうへと曲げる。
【００３９】
次に、折り畳みベルト１３、１４の裏側にある長手方向プロフィル１９について、図３を参照しながら説明する。折り畳みベルト１３、１４の縦断面図又は側面図ではプロフィルは鋸刃形であり、歯付きベルト４０の裏側に存在しており、それにより折り畳みベルト１３、１４の嵌合式かつそれに伴ってスリップのない運動が保証されている。
【００４０】
歯付きベルト４０の歯のある側を前側３８と呼ぶ。鋸刃形のプロフィル１９は歯付きベルト４０の裏側に配置されており、縦断面で見て、比較的弱く傾いた載置面３９と、強く傾いた裏面４１とで成り立っている。載置面３９と裏面４１との間にそれぞれプロフィルの頂点４２があり、それに対して裏面４１と載置面３９は、他方の両方の端部のところでは２つの最低点４３によって区切られている。このようなプロフィル形態が折り畳みベルト１３、１４に沿って複数にわたり配置されており、２つの最低点４３の間の間隔は、折り畳み箱ブランク２の搬送方向で見て折り畳み機１で加工することができる最大寸法を有する、連続する２つの折り畳み箱ブランク２の平均間隔に相当する。
【００４１】
図４（ａ）には、図３の線Ａ−Ａに沿った、本発明による折り畳みベルト１３、１４の断面図が示されている。
【００４２】
歯付きベルト４０の裏側に、本発明によるプロフィル１９が構成されている。これは柔軟で弾性的な材料から製作される。適切な材料として判明しているのは、たとえばポリウレタンなどの独立気泡性のプラスチックフォームである。
【００４３】
このプロフィル１９で新規なところは、本実施例ではプロフィル１９の「最高の」点で始まり、次いで、図４（ａ）で右方に向かって降下していく湾曲した線へと移行する、湾曲区域５１を有していることにある。プロフィル１９の「最高の」点と呼ぶのは、歯付きベルト４０に対して最大の間隔を有している点である。
【００４４】
本発明による湾曲区域５１の２つのパラメータは、湾曲区域５１の開始部における接線５３と終了部における接線５５である。
【００４５】
区域５１の開始部と終了部の接線５３及び５５は、本例では約９０°の角度αをなしている。接線５３及び５５がなす角度αは、折り畳みベルト１３、１４によって具体化される折り畳み角にほぼ相当する。
【００４６】
本発明による湾曲区域５１の３番目のパラメータは、開始部における接線５３と、歯付きベルト４０を通って広がる平面との間の角度である。図４（ａ）に示す実施例では、湾曲区域５１の開始部における接線５３は、歯付きベルト４０と平行に延びている。図４（ａ）では、歯付きベルト４０が延びている平面が線５７によって図解されている。
【００４７】
湾曲区域５１は、本実施例では円弧の形状を有している。
【００４８】
プロフィル１９の全高Ｈ、及び湾曲区域５１の高さＨ５１が図４（ａ）に記入されている。本実施例ではＨ＝Ｈ５１である。これに加えて、湾曲区域５１の高さＨ５１が記入されている。
【００４９】
これに対応する仕方により、プロフィル１９の全体幅Ｂ、及び湾曲区域５１の幅Ｂ５１が図４（ａ）に記入されている。
【００５０】
湾曲区域５１の半径は、折り畳みベルトの全高Ｈ及び幅Ｂに等しい。
【００５１】
図４（ｂ）には、線Ｂ−Ｂに沿った領域のプロフィル１９の断面図が示されている。主要な相違点は、プロフィル１９の大きい高さである。折り畳みベルト１３、１４の側面図（図３参照）に見られる載置面３９の楔形は、プロフィル１９の高さが最低点４３から頂点４２まで線形に増加していくことによって実現される。
【００５２】
図５（ａ）及び図５（ｂ）には、本発明によるプロフィル１９の別の実施例が示されている。
【００５３】
この実施例では、湾曲区域は歯付きベルト４０の幅全体にわたって延びるのではない。接線５３及び５５は約４５°の角度α１をなす。
【００５４】
湾曲区域は楕円形であり、プロフィル１９は最高点のところで、接線５５の領域ほど強く湾曲していない。ここでもプロフィル１９の高さは連続して増えていく。
【００５５】
しかしながら、湾曲区域５１を放物線又はその他の湾曲した線として、好ましくは２次多項式の形態で構成することも可能である。
【００５６】
本実施例では、湾曲区域５１の高さＨ５１は全高Ｈよりも小さい。Ｈ：Ｈ５１はおよそ４：３である。
【００５７】
本実施例では、湾曲区域５１の幅Ｂ５１も折り畳みベルトの幅Ｂよりも小さい。Ｂ：Ｂ５１はおよそ４：３である。
【００５８】
次に、側方フラップ２８の折り畳みのプロセスを図６との関連で図解する。ここでは各々の側に３つの折り畳みベルト１３が相前後して配置される。いずれの折り畳みベルト１３も交差しない。
【００５９】
側方フラップ２８の１８０°の折り畳みは、各々の側の３つの折り畳みベルト１３．Ｉ、１３．ＩＩ及び１３．ＩＩＩに対応する３つの工程Ｉ、ＩＩ及びＩＩＩで行われる。図面を内容過多にしないため、すべての部分に符号を付すのではなく、他の図面を参照指示する。工程Ｉで、折り畳まれていない側方フラップ２８が約６０°の角度だけ折り畳まれる。このことは、本発明による第１の折り畳みベルト１３．Ｉによって実現される。さらに後方に配置されたベルト車１６は、前方のベルト車１５に比べて高くなっている。折り畳みベルトの載置面３９が側方フラップ２８の長さ全体にわたって当接するようにするために、折り畳みベルト１３の最低点３４は走行方向で見て頂点４２の後方にある。
【００６０】
工程ＩＩで、側方フラップ２８がさらに約１２０°の角度まで折り畳まれる。このことは、本発明による第２の折り畳みベルト１３．ＩＩによって実現される。さらに後方に配置されているベルト車１６は前方のベルト車１５に比べて高くなっており、対称平面の方向でオフセットされている。
【００６１】
これに類似する仕方により、第３の工程ＩＩＩで折り畳みが続行される。
【００６２】
工程ＩＩ及びＩＩＩで使用される折り畳みベルト１３．ＩＩ及び１３．ＩＩＩにおいても、折り畳みベルト１３の最低点４３は走行方向で見て頂点４２の後方に配置されている。
【００６３】
図７（ａ）および図７（ｂ）には、第１の工程Ｉ（図６参照）中における、折り畳み箱ブランクと本発明による折り畳みベルト１３の部分断面図が２つの切断平面Ａ−Ａ及びＢ−Ｂで図解のために示されている。
【００６４】
図８（ａ）および図８（ｂ）には、第２の工程ＩＩ（図６参照）中における、折り畳み箱ブランクと本発明による折り畳みベルト１３の部分断面図が２つの切断平面Ａ−Ａ及びＢ−Ｂで図解のために示されている。
【００６５】
図９（ａ）および図９（ｂ）には、第３の工程ＩＩ（図６参照）中における、折り畳み箱ブランクと本発明による折り畳みベルト１３の部分断面図が２つの切断平面Ａ−Ａ及びＢ−Ｂで図解のために示されている。
【００６６】
図１０には、１つの工程での複数の折り畳み箱ブランクの同時の折り畳み（いわゆるマルチボックス法）が示されている。
【００６７】
図６と図１０を比較してみると明らかな通り、主要な相違点は、３つの工程の各々でそれぞれ２つの折り畳み箱ブランクが折り畳まれることにある。
【００６８】
それに応じて、ここで使用される折り畳みベルト１３は、図１０の下側の部分に示されている「鋸刃プロフィル」を有する。２つの最低点又は２つの頂点の間の間隔は、折り畳み箱ブランクの前側エッジの長さ又は間隔Ｓにほぼ相当する。
【図１】
2018531202.tif 000003
【図２】
2018531202.tif 000004
【図３】
2018531202.tif 000005
【図４】
2018531202.tif 000006
【図５】
2018531202.tif 000007
【図６】
2018531202.tif 000008
【図７】
2018531202.tif 000009
【図８】
2018531202.tif 000010
【図９】
2018531202.tif 000011
【図１０】
2018531202.tif 000012
【手続補正書】
【提出日】平成29年12月13日(2017.12.13)
【手続補正１】
【補正対象書類名】明細書
【補正対象項目名】００５９
【補正方法】変更
【補正の内容】
【００５９】
側方フラップ２８の１８０°の折り畳みは、各々の側の３つの折り畳みベルト１３．Ｉ、１３．ＩＩ及び１３．ＩＩＩに対応する３つの工程Ｉ、ＩＩ及びＩＩＩで行われる。図面を内容過多にしないため、すべての部分に符号を付すのではなく、他の図面を参照指示する。工程Ｉで、折り畳まれていない側方フラップ２８が約６０°の角度だけ折り畳まれる。このことは、本発明による第１の折り畳みベルト１３．Ｉによって実現される。さらに後方に配置されたベルト車１６は、前方のベルト車１５に比べて高くなっている。折り畳みベルトの載置面３９が側方フラップ２８の長さ全体にわたって当接するようにするために、折り畳みベルト１３の最低点４３は走行方向で見て頂点４２の後方にある。
【手続補正２】
【補正対象書類名】特許請求の範囲
【補正対象項目名】全文
【補正方法】変更
【補正の内容】
【特許請求の範囲】
【請求項１】
初期状態では平坦に位置する折り畳み箱ブランク（２）を折り畳む装置（１）で利用するための折り畳みベルトであって、前記折り畳みベルト（１３、１４）は前側（３８）と裏側を有し、前記折り畳みベルト（１３、１４）はその裏側にそのつどの側方フラップ（２８、２９）のための載置面（３９）を形成するプロフィル（１９）を備え、このプロフィルは、前記折り畳みベルト（１３、１４）の長手方向に関して、縦断面図で見て鋸刃形であるとともに少なくとも１つの頂点（４２）を有し、かつ最低点（４３）を含み、前記載置面（３９）は先行する最低点（４３）と後続する頂点（４２）との間に位置し、前記プロフィル（１９）は横断面図で見て少なくとも１つの湾曲区域（５１）を有し、前記湾曲区域（５１）の開始部及び終了部における接線（５３、５５）は９０°又はこれよりも小さい角度、かつ少なくとも３０°の角度をなし、前記湾曲区域（５１）の開始部における接線（５３）は前記歯付きベルト（４０）とともに５°〜４５°の角度をなし、前記載置面（３９）の長さは折り畳まれるべき側方フラップ（２８、２９）の長さにほぼ等しい折り畳みベルト。
【請求項２】
前記湾曲区域（５１）の開始部における接線（５３）は前記折り畳みベルト（１３、１４）の歯付きベルト（４０）と平行に延びることを特徴とする、請求項１に記載の折り畳みベルト。
【請求項３】
前記湾曲区域（５１）は円セグメント、楕円セグメント、又はその他の２次多項式の形状を有することを特徴とする、請求項１又は請求項２に記載の折り畳みベルト。
【請求項４】
前記湾曲区域（５１）は、少なくとも３本の直線、ただし好ましくは５本を超える直線を有する多角形によって近似されることを特徴とする、請求項１〜請求項３のいずれか１項に記載の折り畳みベルト。
【請求項５】
前記プロフィル（１９）は、縦断面図で見て、頂点（４２）とこれに後続する最低点（４３）との間で斜めに延びる裏面（４１）を形成することを特徴とする、請求項１〜請求項４のいずれか１項に記載の折り畳みベルト。
【請求項６】
前記折り畳みベルト（１３、１４）は、縦断面図で見て、複数の頂点（４２）及びこれに対応する最低点（４３）を有し、１つの最低点（４３）をもって始まり、１つの頂点（４２）を含み、これと隣接する最低点（４３）で終わっている前記プロフィル（１９）の各々の区域が鋸刃を形成することを特徴とする、請求項１〜請求項５のいずれか１項に記載の折り畳みベルト。
【請求項７】
隣接する２つの最低点（４３）の間の間隔は、折り畳み線（３１）と平行の方向で測ったときに前記折り畳み箱ブランク（２）の寸法よりも大きく、これに等しく、又はこれよりも小さいことを特徴とする、請求項１〜請求項６のいずれか１項に記載の折り畳みベルト。
【請求項８】
各々の鋸刃の頂点（４２）は、前記折り畳みベルト（１３、１４）の運動方向に関して、運動方向で前記頂点（４２）に後続する最低点（４３）との間隔に等しい、又はこれよりも大きい間隔を先行する最低点（４３）から有することを特徴とする、請求項１〜請求項７のいずれか１項に記載の折り畳みベルト。
【請求項９】
前記折り畳みベルト（１３、１４）の裏側に可撓の材料からなる前記プロフィル（１９）があることを特徴とする、請求項１〜請求項８のいずれか１項に記載の折り畳みベルト。
【請求項１０】
前記プロフィル（１９）は前記裏側に対して縦に置いた可撓の材料からなる少なくとも１つの帯材によって担持され、折り畳みベルト（１３、１４）から離れる側を向くこの帯材の自由な短辺が前記載置面（３９）を形成することを特徴とする、請求項９に記載の折り畳みベルト。
【請求項１１】
前記帯材は前記折り畳みベルト（１３、１４）の長手方向で波形又はメアンダ形に配置されていることを特徴とする、請求項１０に記載の折り畳みベルト。
【請求項１２】
前記折り畳みベルト（１３、１４）は横断面図で見て対称であることを特徴とする、請求項１〜請求項１１のいずれか１項に記載の折り畳みベルト。
【請求項１３】
前記平坦なベルトは歯付きベルト（４０）であることを特徴とする、請求項１〜請求項１２のいずれか１項に記載の折り畳みベルト。
【国際調査報告】
2018531202.tif 000013
2018531202.tif 000014
2018531202.tif 000015
2018531202.tif 000016